(57)【要約】【課題】  木造住宅建築物の骨組み部材に形成されたボルト挿通穴に挿通されるボルト部材の端部を、ボルト挿通穴の開口周縁部に支持させた状態でスムーズかつ迅速に締着させることを可能にする締着ナット部材を提供する。【解決手段】  木造住宅建築物の骨組み部材１１に形成されたボルト挿通穴１２に挿通されるボルト部材１２の端部を、ボルト挿通穴１２の開口周縁部に支持させた状態で締着させるための締着ナット部材１０であって、ナット本体１４と、このナット本体１４に一体接合される座金プレート１５と、この座金プレート１５のナット本体１４側の面と反対側の面から突出する、ボルト挿通穴１２の内径よりも小さな外径を備えると共に、ナット本体１４の雌ネジ孔よりも大きな内径を有する円環状突起１６とからなる。【選択図】      図３
2005232934.tif 000002
【特許請求の範囲】
【請求項１】
木造住宅建築物の骨組み部材に形成されたボルト挿通穴に挿通されるボルト部材の端部を、前記ボルト挿通穴の開口周縁部に支持させた状態で締着させるための締着ナット部材であって、
ナット本体と、該ナット本体に一体接合される座金プレートと、該座金プレートの前記ナット本体側の面と反対側の面から突出する、前記ボルト挿通穴の内径よりも小さな外径を備えると共に、前記ナット本体の雌ネジ孔以上の内径を有する円環状突起とからなることを特徴とする締着ナット部材。
【請求項２】
前記円環状突起の内側面は、前記ナット本体の雌ネジ孔に向かって内径が小さくなるテーパー面となっている請求項１に記載の締着ナット部材。
【請求項３】
前記木造住宅建築部は、複数の住宅ユニットを組み立てて形成されるユニット住宅であり、前記骨組み部材は、前記住宅ユニットを構成する上枠部材であり、前記ボルト部材は、上下の住宅ユニットを連結するための連結ボルトである請求項１又は２に記載の締着ナット部材。
【請求項４】
前記座金プレートは、これの端縁部からＬ字形状に垂直に折曲がって延設される垂直プレート部を備え、該垂直プレート部を縦枠部材の上端部側面に添設固定しつつ前記上枠部材に取り付けられる請求項３に記載の締着ナット部材。
【発明の詳細な説明】
【技術分野】
【０００１】
本発明は締着ナット部材に関し、特に木造住宅建築物の骨組み部材に形成されたボルト挿通穴に挿通されるボルト部材の端部を締着させるための締着ナット部材に関する。
【背景技術】
【０００２】
例えば、住宅建築物の施工の迅速化や高精度化を図るべく、予め工場等で形成された複数の住宅ユニットを建築施工現場で組み立てて構築するユニット住宅が開発されている。このようなユニット住宅においては、形成された各住宅ユニットを例えば運送用のトラック等に積み込んで建築施工現場に搬入し、クレーン等の吊り上げ用の重機を用いて吊り上げて所望の位置に設置し、他の住宅ユニットと共に連結一体化することによってユニット住宅を組み立てる。
【０００３】
一方、建築施工現場に搬入された各住宅ユニットの吊上げ作業は、一般に、ユニット住宅を構成する壁枠組や床枠組等の枠組部材の適宜箇所に取付け金物を介して固定されたナット部材に、アイボルトの先端雄ネジ部を螺合することによって当該アイボルトを締着固定し、このアイボルトのリング状の頭部に吊り上げ用のワイヤ等を係止して吊上げることによって行われていた（例えば、特許文献１、特許文献２参照）。また、上下の住宅ユニットを連結する作業は、例えば下方の住宅ユニットの枠組部材に固定されたナット部材に両ネジボルトの下端部を螺合し、これの上端雄ネジ部を枠組部材の上方に突出させて、当該上端雄ネジ部を上方の住宅ユニットに取り付けた上方連結金具に連結することによって行われていた。
【特許文献１】特開平５−１４１００３号公報（図１）
【特許文献２】特開平９−７８８４０号公報（図１〜図５）
【発明の開示】
【発明が解決しようとする課題】
【０００４】
上記従来のアイボルトによる吊上げ構造や両ネジボルトによる連結構造では、建築施工現場において住宅ユニットの壁枠組や床枠組等に固定されたナット部材にアイボルトや両ネジボルトを締着固定する作業に手間がかかり、迅速に吊上げ作業や上下の連結作業を行うことが困難だった。すなわち、ナット部材は、取付け金物を介して、吊上げ時の荷重や連結荷重を支持するのに効果的な、住宅ユニットの上部に配置される上枠部材の下面や、下部に配置される下枠部材の下面等に沿って配置される場合が多く、このように配置されたナット部材に対して、上枠部材や下枠部材の上方から、当該上枠部材や下枠部材を貫通して形成したボルト挿通孔を経てアイボルトや両ネジボルトの下端を締着固定する作業は、ボルト挿通孔の入り口とは反対側の見えない所でこれらのボルト部材の下端を螺合する作業となるため、ボルト部材をスムーズに取り付けてゆくことが困難である。
【０００５】
また、住宅ユニットの吊上げ作業や連結作業以外でも、相当の厚さを有する木造住宅建築物の骨組み部材に貫通するようにして形成されたボルト挿通穴に、ボルト部材を挿通してこれの端部を締着させる作業は、一般に、当該骨組み部材を挟んだボルト挿通孔の入り口とは反対側の見にくい所でボルト部材の端部を螺合する作業となることが多いため、ボルト部材をスムーズに取り付けてゆくことが困難である。
【０００６】
本発明は、このような従来の課題に着目してなされたものであり、木造住宅建築物の骨組み部材に形成されたボルト挿通穴に挿通されるボルト部材の端部を、ボルト挿通穴の開口周縁部に支持させた状態でスムーズかつ迅速に締着させることを可能にする締着ナット部材を提供することを目的とする。
【課題を解決するための手段】
【０００７】
本発明は、木造住宅建築物の骨組み部材に形成されたボルト挿通穴に挿通されるボルト部材の端部を、前記ボルト挿通穴の開口周縁部に支持させた状態で締着させるための締着ナット部材であって、ナット本体と、該ナット本体に一体接合される座金プレートと、該座金プレートの前記ナット本体側の面と反対側の面から突出する、前記ボルト挿通穴の内径よりも小さな外径を備えると共に、前記ナット本体の雌ネジ孔以上の内径を有する円環状突起とからなることを特徴とする締着ナット部材を提供することにより、上記目的を達成したものである。
【０００８】
そして、本発明の締着ナット部材は、前記円環状突起の内側面が、前記ナット本体の雌ネジ孔に向かって内径が小さくなるテーパー面となっていることが好ましい。
【０００９】
また、本発明の締着ナット部材は、前記木造住宅建築部が、複数の住宅ユニットを組み立てて形成されるユニット住宅であり、前記骨組み部材が、前記住宅ユニットを構成する上枠部材であり、前記ボルト部材が、上下の住宅ユニットを連結するための連結ボルトであることが好ましい。
【００１０】
さらに、本発明の締着ナット部材は、前記座金プレートが、これの端縁部からＬ字形状に垂直に折曲がって延設される垂直プレート部を備え、該垂直プレート部を縦枠部材の上端部側面に添設固定しつつ前記上枠部材に取り付けられることが好ましい。
【発明の効果】
【００１１】
本発明の締着ナット部材によれば、木造住宅建築物の骨組み部材に形成されたボルト挿通穴に挿通されるボルト部材の端部を、ボルト挿通穴の開口周縁部に支持させた状態でスムーズかつ迅速に締着させることができる。
【発明を実施するための最良の形態】
【００１２】
本発明の好ましい第１実施形態に係る締着ナット部材１０（図３参照）は、一例として、例えば木造住宅建築物である枠組壁工法によるユニット住宅を構成する、予め工場等において製作された図１に示すようにな住宅ユニット２０を、建築施工現場において吊り上げて、他の住宅ユニットと接合一体化してユニット住宅を形成するべく所定の組立位置に設置する際に用いられ、図２に示すように、骨組み部材である上枠部材１１に形成されたボルト挿通穴１２に挿通されるボルト部材１３の端部を、上枠部材１１の下面においてボルト挿通穴１２の開口周縁部に支持させた状態で締着させるものである。
【００１３】
そして、第１実施形態に係る締着ナット部材１０は、図３（ａ）〜（ｃ）に示すように、ナット本体１４と、このナット本体１４に一体接合される座金プレート１５と、この座金プレート１５のナット本体１４側の面と反対側の面から突出する、ボルト挿通穴１２の内径よりも小さな外径を備えると共に、ナット本体１４の雌ネジ孔以上の内径を有する円環状突起１６とによって構成される。
【００１４】
また、本第１実施形態によれば、座金プレート１５は、これの端縁部からＬ字形状に垂直に折曲がって延設される垂直プレート部１７を備えており、この垂直プレート部１７を縦枠部材１８の上端部側面に添設固定しつつ、座金プレート１５が上枠部材１１の下面に沿って取り付けられることになる。
【００１５】
ここで、住宅ユニット２０は、図１に示すように、例えば矩形形状の床パネル２１の一対の短辺部及び一方の長辺部から立設して壁パネル２２，２３が設けられるものであり、一対の短辺部から立設する壁パネル２２の上端部には、これの両端部分に配置されて、図２に示すように、本第１実施形態の締着ナット部材１０が、壁パネル２２の壁枠組みを構成する上枠部材１１の下面及び縦枠部材１８の側面に沿って取り付けられる。また本第１実施形態によれば、住宅ユニット２０の吊り上げ時には、下方雄ネジ部の下端部を締着ナット部材１０に締着固定した両ネジボルトからなるボルト部材１３の、上枠部材１１の上方に突出させた上方雄ネジ部にナット２７を螺合して、ハット形断面支持金具２４とシャックル金具２５とからなる吊上げ係止部材２６を上枠部材１１の上面に取り付け、この吊上げ係止部材２６に吊りワイヤ１９（図１参照）を係止して、当該吊上げ係止部材２６を介して吊りワイヤ１９により住宅ユニット２０を吊上げることができるようになっている。
【００１６】
そして、本第１実施形態の締着ナット部材１０は、上述のように、ナット本体１４と、座金プレート１５と、円環状突起１６とによって構成される（図３（ａ）〜（ｃ）参照）。ナット本体１４は、例えばＭ１２の六角ナットであって、その中央部分には、例えば直径が１２ｍｍの雌ネジ孔が貫通形成されている。このナット本体１４は、後述するコの字断面補強部材２９の中央プレート２８に溶着固定されると共に、このコの字断面補強部材２９が座金プレート１５に一体として接合されることにより、ナット本体１４が、座金プレート１５の一方の面にコの字断面補強部材２９の中央プレート２８を挟んで一体接合されることになる。
【００１７】
座金プレート１５は、例えば厚さ１〜１０ｍｍ程度の金属プレートからなり、例えば幅１０〜１２０ｍｍ程度、長さ５０〜２００ｍｍ程度の大きさの矩形形状を有している。また座金プレート１５には、これの一短辺の端縁部から垂直に折れ曲がり、当該座金プレート１５と一体となってＬ字断面形状を形成する、例えば幅１０〜１２０ｍｍ程度、長さ５０〜３００ｍｍ程度の大きさの、上部の座金プレート１５と近接する部分の巾が狭くなった略矩形形状の垂直プレート部１７が連接して設けられている。
【００１８】
また、本第１実施形態によれば、座金プレート１５の垂直プレート部１７が延設する側の面には、当該座金プレート１５と略同様の大きさの中央プレート２８の両側縁部に垂直補強リブ３０が垂直に折り曲げられて設けられたコの字断面補強部材２９が、中央プレート２８を座金プレート１５に二重に重ねるように接合することによって取り付けられている。なお、コの字断面補強部材２９の中央プレート２８には、これに溶着固定されるナット本体１４の雌ネジ孔と合致する位置に、ボルト部材１３の挿入穴が開口形成されている。
【００１９】
座金プレート１５のナット本体１４側の面と反対側の面に突出して設けられる円環状突起１６は、例えば座金プレート１５にバーリング加工を施すことによって形成されるものであり、ナット本体１４の雌ネジ孔に合致させて座金プレート１５に開口形成されたボルト部材１３の挿入穴の周縁部を盛り上げるようにして押す出すことにより、座金プレート１５から例えば０．５〜１０  ｍｍの高さで突出して設けられる。また円環状突起１６は、その外径が、ナット本体１４がＭ１２の六角ナットの場合例えば直径１８ｍｍとなっていて、上枠部材１１に形成されたボルト挿通穴１２の内側に配置できる大きさとなっていると共に、その内径が、ナット本体１４がＭ１２の六角ナットの場合例えば直径１４ｍｍとなっていて、上枠部材１１のボルト挿通穴１２に挿通されたボルト部材１３の端部を、ナット本体１４の雌ネジ孔に向けてスムーズに案内できるようになっている。ここで、円環状突起１６の内側面は、ナット本体１４の雌ネジ孔に向かって内径が小さくなるテーパー面を形成しておくことが好ましく、これによってボルト部材１３の端部をナット本体１４の雌ネジ孔に向けてさらにスムーズに案内することが可能になる。
【００２０】
本第１実施形態によれば、座金プレート１５の垂直プレート部１７、及び重ね合わされた中央プレート２８と座金プレート１５には、適宜箇所に複数のビス孔３１が穿設されており、住宅ユニット２０を建築施工現場に搬入するのに先立って、予め工場等においてこれらのビス孔３１に固定ビス３２を打ち込むことにより（図２参照）、垂直プレート部１７は縦枠部材１８の上端部側面に沿って強固に添設固定されると共に、座金プレート１５は、上枠部材１１のボルト挿通穴１２の下端部分の内側に円環状突起１６を填め込むように配置した状態で、上枠部材１１の下面に沿って強固に取り付けられることになる。
【００２１】
そして、本第１実施形態によれば、住宅ユニット２０の吊り上げ時に、上枠部材１１の上面に吊上げ係止部材２６を取り付けるためのボルト部材１３を、ボルト挿通穴１２の下端開口の周縁部に支持させた状態でスムーズかつ迅速に締着させることができる。すなわち、本第１実施形態によれば、上枠部材１１の下面に沿って座金プレート１５を配置しつつ、円環状突起１６をボルト挿通穴１２の下端部分の内側に配置した状態で締着ナット部材１０が取り付けられているので、ボルト挿通穴１２の上方から下方に向けてボルト部材１３を挿入して行くだけで、ボルト部材１３の下端は、円環状突起１６に案内されつつナット本体１４の雌ネジ孔と容易に対向配置されることになる。したがって、このような位置決め操作を容易にして、ボルト部材１３を締着すべき上枠部材１１の下面が、例えば天井パネル等によって遮られて、見えにくかったり手が届き難いところであっても、ボルト部材１３を回転させる操作によって、ボルト部材１３の端部を、ボルト挿通穴１２の開口周縁部に座金プレート１５を介して支持させた状態でスムーズかつ迅速に締着させてゆくことが可能になる。
【００２２】
図４は、本第１実施形態の締着ナット部材１０を用いて、上下に積み重ねられる住宅ユニット２０を連結一体化する際の連結構造を示すものである。図４によれば、例えば所定の位置に設置された下方の住宅ユニット２０から上述の吊上げ係止部材２６を取り外した後、上方に設置される住宅ユニット２０の下枠部材３３を下方に設置した住宅ユニット１０の上枠部材１１の上面に重ねて設置し、下枠部材３３の上方に突出するボルト部材１３の上方雄ネジ部を、上方の住宅ユニット１０に取り付けた連結金具３４に締着することによって、上下の住宅ユニット２０を連結一体化するものである。このように、住宅ユニット２０の吊り上げ時に迅速かつスムーズに上枠部材１１の下面に締着した両ネジボルトからなるボルト部材１３を用いて、上下の住宅ユニット２０を容易に連結一体化してゆくことが可能になる。
【００２３】
また、住宅ユニット２０の吊り上げ作業は、上述の両ネジボルトからなるボルト部材１３を用いることなく、例えばアイボルト等のその他の吊り上げ用のボルト部材を本第１実施形態の締着ナット部材１０を介して締着して行うことができる他、その他の吊り上げ手段を介して行うこともできる。このような場合には、上下の住宅ユニット２０の連結施工時には、アイボルト等を適宜取り外した後、例えば両ネジボルトからなる連結用のボルト部材１３を新たに締着固定して連結作業を行うことになるが、本第１実施形態によれば、このような連結用のボルト部材１３の上枠部材１１の下面への締着を、締着ナット部材１０を介することにより、上述と同様に迅速かつスムーズに行うことが可能になり、これによって上下の住宅ユニット１０の連結作業を効率良く行うことが可能になる。
【００２４】
図５は、本発明の好ましい第２実施形態に係る締着ナット部材４０を示すものである。本第２実施形態によれば、締着ナット部材４０は、ナット本体４１と、このナット本体４１に一体接合される座金プレート４２と、この座金プレート４２のナット本体４１側の面と反対側の面から突出する、ボルト挿通穴の内径よりも小さな外径を備えると共に、ナット本体４１の雌ネジ孔以上の内径を有する円環状突起４３とによって構成されている。そして、座金プレート４２は、例えば正方形の平面形状を備えていると共に、垂直プレート部やコの字断面補強部材が一体化されておらず、ナット本体４１が溶接等によって座金プレート４２に直接接合一体化されている。本第２実施形態の締着ナット部材４０によれば、座金プレート４２に形成されたビス孔４４に固定ビス等を打ち込むことにより、木造住宅建築物の骨組み部材に形成されたボルト挿通穴の一方に端部の内側に円環状突起４３を配置した状態で、骨組み部材に取り付けて用いられ、ボルト挿通穴に挿通されるボルト部材の端部をナット本体４１の雌ネジ孔にスムーズに案内して、当該端部をボルト挿通穴の開口周縁部に支持させつつ迅速に締着させることが可能になる。
【００２５】
なお、本発明は上記各実施形態に限定されることなく種々の変更が可能である。例えば、本発明の締着ナット部材は、枠組壁工法によるユニット住宅の枠組部材を骨組み部材とする場合に限定されることなく、在来軸組工法等のその他の工法による木造住宅建築物を構成する種々の骨組み部材にボルト部材を締着するべく採用することができる。また、本発明の締着ナット部材は、応用例として、例えば図６に示すように、ナット本体を別部材として、座金プレート５１と円環状突起５２とが一体となつた締着部材５０を骨組み部材に取り付けておき、ボルト部材の締着時にナット本体を配置して使用することも考えられる。
【図面の簡単な説明】
【００２６】
【図１】本発明の第１実施形態に係る締着ナット部材を用いて吊り上げられる住宅ユニットを説明する略示斜視図である。
【図２】本発明の第１実施形態に係る締着ナット部材を用いて上下の住宅ユニットを吊り上げる際の吊上げ構造を説明する断面図である。
【図３】本発明の第１実施形態に係る締着ナット部材の（ａ）は側面図、（ｂ）は正面図、（ｃ）は下面図である。
【図４】本発明の第１実施形態に係る締着ナット部材を用いて上下の住宅ユニットを連結する際の連結構造を説明する断面図である。
【図５】本発明の第２実施形態に係る締着ナット部材の（ａ）は平面図、（ｂ）は側面図である。
【図６】本発明の締着ナット部材の他の使用形態を例示する側面図である。
【符号の説明】
【００２７】
１０，４０  締着ナット部材
１１  上枠部材（骨組み部材）
１２  ボルト挿通穴
１３  ボルト部材
１４，４１  ナット本体
１５，４２  座金プレート
１６，４３  円環状突起
１７  垂直プレート部
１８  縦枠部材
２０  住宅ユニット
２６  吊上げ係止部材
２９  コの字断面補強部材
３４  連結金具
【図１】
2005232934.tif 000003
【図２】
2005232934.tif 000004
【図３】
2005232934.tif 000005
【図４】
2005232934.tif 000006
【図５】
2005232934.tif 000007
【図６】
2005232934.tif 000008